【手続補正書】
【提出日】平成16年2月26日(2004.2.26)
【手続補正１】
【補正対象書類名】明細書
【補正対象項目名】請求項１
【補正方法】変更
【補正の内容】
【請求項１】
全体の重量を支持する中棒を中心に放射状に配置されるとともに、その基端が前記中棒の端部に回動自在に取り付けられている複数の親骨を有する洋傘であって、
前記親骨は、長繊維で補強された繊維強化プラスチック製の棒状部材であり、前記親骨の先端近傍の部分には、その先端を前記中棒方向へ所定の角度となるように折り曲げる、くせ付加工により形成されたくせ付加工部が設けられ、
このくせ付加工部は、その周囲を半周以上覆うとともに塑性変形させた金属製の補強部材が、折り曲げ状態を維持していることを特徴とする洋傘。
【手続補正２】
【補正対象書類名】明細書
【補正対象項目名】請求項４
【補正方法】変更
【補正の内容】
【請求項４】
全体の重量を支持する中棒を中心に放射状に複数配置される親骨の基端が、前記中棒の端部に回動自在に取り付けられている洋傘の親骨のくせ付け加工方法であって、
前記親骨は、長繊維で補強された繊維強化プラスチック製の棒状部材であり、前記親骨の先端近傍の部分に、その先端を前記中棒方向へ所定の角度となるように折り曲げる、くせ付加工を施すにあたり、
前記親骨の周囲を半周以上覆う断面を有する金属製の補強部材を、前記親骨の先端近傍の部分に装着し、この状態で、前記補強部材をかしめるとともに、前記親骨を折り曲げることを特徴とする洋傘の親骨のくせ付け加工方法。
【手続補正３】
【補正対象書類名】明細書
【補正対象項目名】０００７
【補正方法】変更
【補正の内容】
【０００７】
（請求項１）
（特徴点）
本発明のうち、請求項１記載の発明は、次の点を特徴とする。
すなわち、請求項１記載の発明は、全体の重量を支持する中棒(２)を中心に放射状に配置されるとともに、その基端が前記中棒(２)の端部に回動自在に取り付けられている複数の親骨(３)を有する洋傘(１)であって、前記親骨(３)は、長繊維で補強された繊維強化プラスチック製の棒状部材であり、前記親骨(３)の先端近傍の部分には、その先端を前記中棒(２)方向へ所定の角度となるように折り曲げる、くせ付加工により形成されたくせ付加工部(30)が設けられ、このくせ付加工部(30)は、その周囲を半周以上覆うとともに塑性変形させた金属製の補強部材(32)が、折り曲げ状態を維持していることを特徴とする。
【手続補正４】
【補正対象書類名】明細書
【補正対象項目名】０００８
【補正方法】変更
【補正の内容】
【０００８】
（作用）
本発明によれば、くせ付加工部(30)の補強部材(32)として、塑性変形により変形させた形状を強固に維持できる金属製のものを採用した。このため、補強部材(32)を親骨(３)に装着し、この状態で、補強部材(32)をかしめて親骨(３)を折り曲げることにより、くせ付加工部(30)のみの塑性変形が容易に可能となる。従って、洋傘(１)のフレーム(５)を、剛性の高い繊維強化プラスチック製にしても、親骨(３)のくせ付加工が容易に行え、洋傘(１)に対して良好な外観が容易に付与できる。


【手続補正５】
【補正対象書類名】明細書
【補正対象項目名】００１２
【補正方法】変更
【補正の内容】
【００１２】
（作用）
本発明によれば、補強部材(32)の断面寸法を適宜設定し、補強部材(32)の内部に親骨(３)が挿通されるようにすれば、親骨(３)を補強部材(32)の内部に挿通することで、親骨(３)に補強部材(32)を容易に取り付けることができ、補強部材(32)の親骨(３)への装着作業が容易に行えるようになるうえ、親骨(３)に装着した状態で補強部材(32)をかしめれば、補強部材(32)が親骨(３)に固定されると同時に、親骨(３)を折り曲げることもでき、親骨(３)のくせ付け加工作業が迅速に行える。


【手続補正６】
【補正対象書類名】明細書
【補正対象項目名】００１３
【補正方法】変更
【補正の内容】
【００１３】
（請求項４）
（特徴点）
請求項４記載の発明は、次の点を特徴とする。
すなわち、請求項４記載の発明は、全体の重量を支持する中棒(２)を中心に放射状に複数配置される親骨(３)の基端が、前記中棒(２)の端部に回動自在に取り付けられている洋傘(１)の親骨(３)のくせ付け加工方法であり、前記親骨(３)は、長繊維で補強された繊維強化プラスチック製の棒状部材であり、前記親骨(３)の先端近傍の部分に、その先端を前記中棒(２)方向へ所定の角度となるように折り曲げる、くせ付加工を施すにあたり、前記親骨(３)の周囲を半周以上覆う断面を有する金属製の補強部材(32)を、前記親骨(３)の先端近傍の部分に装着し、この状態で、前記補強部材(32)をかしめるとともに、前記親骨(３)を折り曲げることを特徴とする。
【手続補正７】
【補正対象書類名】明細書
【補正対象項目名】００１４
【補正方法】変更
【補正の内容】
【００１４】
（作用）
本発明によれば、親骨(３)に装着する補強部材(32)として、塑性変形により変形させた形状を強固に維持できる金属製のものを採用した。このため、補強部材(32)を親骨(３)に装着した状態で、補強部材(32)をかしめて親骨(３)を折り曲げることにより、所定箇所のみの塑性変形が容易に可能となる。従って、洋傘(１)のフレーム(５)を、剛性の高い繊維強化プラスチック製にしても、親骨(３)のくせ付加工が容易に行え、洋傘(１)に対して良好な外観が容易に付与されるようになる。


【手続補正８】
【補正対象書類名】明細書
【補正対象項目名】００３２
【補正方法】変更
【補正の内容】
【００３２】
【発明の効果】
本発明は、以上のように構成されているので、以下に記載されるような効果を奏する。
（請求項１の効果）
請求項１記載の発明によれば、次のような効果を奏する。
すなわち、請求項１記載の発明によれば、くせ付加工部の補強部材として、塑性変形により変形させた形状を強固に維持できる金属製のものを採用した。このため、補強部材を親骨に装着し、この状態で、補強部材をかしめて親骨を折り曲げることにより、くせ付加工部のみの塑性変形が容易に可能となる。従って、洋傘のフレームを、剛性の高い繊維強化プラスチック製にしても、親骨のくせ付加工を容易に行うことができ、これにより、洋傘に対して良好な外観を容易に付与することができる。


【手続補正９】
【補正対象書類名】明細書
【補正対象項目名】００３４
【補正方法】変更
【補正の内容】
【００３４】
（請求項３の効果）
請求項３記載の発明によれば、上記した請求項１又は２記載の発明の効果に加え、次のような効果を奏する。
すなわち、請求項３記載の発明によれば、補強部材の断面寸法を適宜設定し、補強部材の内部に親骨が挿通されるようにすれば、親骨を補強部材の内部に挿通することで、親骨に補強部材を容易に取り付けることができ、補強部材の親骨への装着作業を容易に行うことができるうえ、親骨に装着した状態で補強部材をかしめれば、補強部材が親骨に固定されると同時に、親骨を折り曲げることもでき、親骨のくせ付け加工作業を迅速に行うことができる。


【手続補正１０】
【補正対象書類名】明細書
【補正対象項目名】００３５
【補正方法】変更
【補正の内容】
【００３５】
（請求項４の効果）
請求項４記載の発明によれば、次のような効果を奏する。
すなわち、請求項４記載の発明によれば、親骨に装着する補強部材として、塑性変形により変形させた形状を強固に維持できる金属製のものを採用した。このため、補強部材を親骨に装着した状態で、補強部材をかしめて親骨を折り曲げることにより、所定箇所のみの塑性変形が容易に可能となる。従って、洋傘のフレームを、剛性の高い繊維強化プラスチック製にしても、親骨のくせ付加工を容易に行うことができ、これにより、洋傘に対して良好な外観を容易に付与することができる。